(57)【要約】【課題】化粧料が収容される本体部と、本体部に係止可能な蓋体部とを備える偏平状の化粧料容器であって、別途の手段を用いない簡単で経済的な方法で、当該化粧料容器の主面を水平方向から視認できる効果的な陳列を可能にする化粧料容器を提供する。【解決手段】本体部と蓋体部とが係止されている際に化粧料容器を垂直に自立させることを可能とする接地部を、本体部及び蓋体部の各々の外周縁の少なくとも一部に設ける。接地部は、本体部及び蓋体部の各々に備えられる板状のフランジ部の少なくとも一部に設けられることが好ましい。【選択図】図３
2015062460.tif 000002
【特許請求の範囲】
【請求項１】
化粧料が収容される本体部と、該本体部に係止可能な蓋体部とを備える略偏平状の化粧料容器であって、前記本体部と前記蓋体部とが係止されている際に該化粧料容器を垂直に自立させることを可能とし、前記本体部及び前記蓋体部の各々の外周縁の少なくとも一部に設けられる接地部と、を更に備えていることを特徴とする化粧料容器。
【請求項２】
前記本体部及び前記蓋体部の各々に、外周縁の少なくとも一部から外周外側に突出した板状のフランジ部が備えられ、前記接地部が該フランジ部の少なくとも一部に設けられる、請求項１に記載の化粧料容器。
【請求項３】
前記本体部及び前記蓋体部が板状のヒンジ部を介して結合されてなり、該ヒンジ部に接地部が設けられる、請求項１または２に記載の化粧料容器。
【請求項４】
前記本体部、前記蓋体部及び前記ヒンジ部が一体形成されてなる、請求項３に記載の化粧料容器。
【請求項５】
前記本体部及び前記蓋体部の各々の外周縁の少なくとも一部に設けられる接地部が、略同一の形状及び寸法である、請求項１から４のいずれか一項に記載の化粧料容器。
【発明の詳細な説明】
【技術分野】
【０００１】
本発明は、化粧料が収容される化粧料容器に関し、詳細には、化粧料が収容される本体部と、本体部に係止可能な蓋体部とを備える偏平状の化粧料容器に関する。
【背景技術】
【０００２】
特許文献１に記載されているように、本体部と、本体部に係止可能な蓋体部とを備える偏平状の容器が知られている。このような容器は、化粧料容器として広く用いられ、特に、詰め替え用の化粧料が収容されるレフィル用の化粧料容器として有用である。
【０００３】
このような化粧料容器を店頭等に陳列（展示等を含む）する際には、製品自体はもとより、商品名やキャッチコピー等、特に容器の全部または一部が透明である場合には内容物の色や性状等、製品に関する情報が需要者の目に留まりやすいように陳列される必要がある。
【０００４】
従来、偏平状の化粧料容器を前述のように効果的に陳列するには、化粧料容器の主面（偏平状の容器において厚さと対比して広い面積を有する、通常、当該偏平状の容器の正面または背面とみなされる面）を水平方向から視認できるように、化粧料容器は、別途の手段を用いて支持または吊り下げ等されなければならなかった。
【先行技術文献】
【特許文献】
【０００５】
【特許文献１】特開平１１−２７６２４０号公報
【発明の概要】
【発明が解決しようとする課題】
【０００６】
しかし、特許文献１に記載されているような従来の化粧料容器では、前述のような効果的な陳列を、別途の手段を用いずに行うことができなかった。
【０００７】
すなわち、本発明が解決しようとする課題は、化粧料が収容される本体部と、本体部に係止可能な蓋体部とを備える略偏平状の化粧料容器であって、別途の手段を用いない簡単で経済的な方法で、当該化粧料容器の主面を水平方向から視認できる効果的な陳列を可能にする化粧料容器を提供することである。
【課題を解決するための手段】
【０００８】
本発明の化粧料容器は、化粧料が収容される本体部と、本体部に係止可能な蓋体部とを備える略偏平状の化粧料容器であって、本体部と蓋体部とが係止されている際に当該化粧料容器を垂直に自立させることを可能とし、本体部及び蓋体部の各々の外周縁の少なくとも一部に設けられる接地部と、を更に備えていることを特徴としている。
【０００９】
このような化粧料容器によれば、化粧料容器の全部または大部分を構成する本体部及び蓋体部の各々に設けられた接地部が、載置面に同時に接触することによって、本体部及び蓋体部の協働により、安定的に当該化粧料容器を垂直に自立させて載置することが可能になる。
【００１０】
また、本発明の化粧料容器においては、本体部及び蓋体部の各々に、外周縁の少なくとも一部から外周外側に突出した板状のフランジ部が備えられ、接地部がフランジ部の少なくとも一部に設けられてもよい。このように、実質的に線接触または点接触で載置面に接地できる接地部により、多少の凹凸のある載置面に対しても、安定的に当該化粧料容器を垂直に自立させて載置することが容易になる。さらに、このようなフランジ部は、本体部を開閉する際の取っ手の機能を有することもできるので、当該化粧料容器の開閉も容易となる。
【００１１】
また、本発明の化粧料容器においては、本体部及び蓋体部が板状のヒンジ部を介して結合され、ヒンジ部に接地部が設けられてもよい。このようなヒンジ部を設けることにより、当該化粧料容器の開閉の操作が容易となり、さらに、ヒンジ部にも接地部を設けることにより、多様な向きで当該化粧料容器を垂直に自立させて載置することが可能になる。
【００１２】
また、本発明の化粧料容器においては、本体部、蓋体部及びヒンジ部が一体形成されることにより、樹脂の一体成型等の簡易な製造方法により当該化粧料容器を製造することが可能となり、かつ、構成部材の剥がれや脱落等が防止される。
【００１３】
また、本発明の化粧料容器においては、本体部及び蓋体部の各々の外周縁の少なくとも一部に設けられる接地部を、略同一の形状及び寸法とすることにより、本体部及び蓋体部の両方に対称な形状及び寸法で接地部が設けられるので、より安定的に当該化粧料容器を垂直に自立させて載置することができる。
【発明の効果】
【００１４】
このように、本発明によれば、化粧料が収容される本体部と、本体部に係止可能な蓋体部とを備える略偏平状の化粧料容器であって、接地部を設けていることによって当該化粧料容器を垂直に自立させることを可能とし、よって、別途の手段を用いない簡単で経済的な方法で、当該化粧料容器の主面を水平方向から視認できる効果的な陳列を可能にする化粧料容器が提供される。
【図面の簡単な説明】
【００１５】
【図１】本発明の第１実施形態を示し、本体部と蓋体部との係止が解かれ、化粧料容器が開放された状態を示す斜視図である。
【図２】図１に示される状態の化粧料容器の本体部に、中皿に保持された化粧料が収容された状態を示す斜視図である。
【図３】図１または図２に示される状態から本体部と蓋体部とが係止され、化粧料容器が閉止された状態を示す斜視図である。
【図４】図３に示される状態の化粧料容器が自立して載置されている状態の一例を示す正面図（Ａ）及び側面図（Ｂ）である。
【図５】図３に示される状態の化粧料容器が自立して載置されている、図４以外の状態の一例を示す正面図（Ａ）及び側面図（Ｂ）である。
【図６】図３に示される状態の化粧料容器が自立して載置されている、図４及び図５以外の状態の一例を示す正面図（Ａ）及び側面図（Ｂ）である。
【図７】本発明の第２実施形態を示し、化粧料容器の本体部と蓋体部とが係止されている状態を示す斜視図である。
【図８】本発明の第３実施形態を示し、化粧料容器の本体部と蓋体部とが係止され、当該化粧料容器が自立して載置されている状態の一例を示す正面図（Ａ）及び側面図（Ｂ）である。
【図９】本発明の第４実施形態を示し、化粧料容器の本体部と蓋体部とが係止され、当該化粧料容器が自立して載置されている状態の一例を示す正面図（Ａ）及び側面図（Ｂ）である。
【図１０】本発明の第５実施形態を示し、化粧料容器の本体部と蓋体部とが係止され、当該化粧料容器が自立して載置されている状態の一例を示す正面図（Ａ）及び側面図（Ｂ）である。
【発明を実施するための形態】
【００１６】
以下、本発明に係る化粧料容器の好適な実施形態について図１〜図１０を参照しながら説明する。図１〜図６は、本発明の第１実施形態を説明する各図、図７〜図１０は各々、本発明の第２〜第５の実施形態を説明する各図である。尚、各図において、同一の要素には同一の符号を付し、重複する説明は省略する。また、後述するように、本発明の化粧料容器の全部または一部は透明な材質から構成されることが好ましいが、図１〜図１０の各図においては、化粧料容器の全体を不透明な材質から構成したと仮定した場合に隠れる線の記載を省略した。
【００１７】
まず、本発明の第１実施形態を参照しながら、本発明を説明する。
【００１８】
本発明の第１実施形態は、図１〜図３に示されるように、化粧料４が収容される本体部１と、本体部１に係止可能な蓋体部２とを備える偏平状の化粧料容器１００である。化粧料容器１００の本体部１には化粧料４が収容されるが、化粧料４は、化粧料を保持可能な凹部を有する中皿５に保持された状態で、中皿５と共に収容される。化粧料容器１００は、本体部１と蓋体部２とが係止されることにより閉止され、持ち運び等の際における化粧料４の外部への飛散が防止される。また、この係止を解くことにより、化粧料容器１００は開放される。
【００１９】
化粧料容器１００の本体部１には、化粧料４を保持した中皿５を保持するために、中皿５に対応した形状で化粧料容器１００の内部に向かって突出した化粧料保持部８が設けられている。そして、化粧料容器１００の蓋体部２には、化粧料保持部８の外周外側で嵌合可能となるように、化粧料保持部８に対応した形状で化粧料容器１００の内部に向かって突出した嵌合部９が設けられている。このような化粧料保持部８と嵌合部９とが嵌合することより、化粧料容器１００は閉止される。さらに、化粧料容器１００が閉止された状態を確実に維持できるように、本体部１（化粧料保持部８）及び蓋体部２（嵌合部９）の各々に設けられた、互いと嵌め合わせ可能な凹凸等からなる係止部（不図示）を設けてもよい。
【００２０】
化粧料容器１００には、本体部１及び蓋体部２の各々の外周縁から外周外側に突出した板状のフランジ部７が備えられている。
【００２１】
フランジ部７は、前述のように本体部１及び蓋体部２の各々に設けられた突出した部分であるから、化粧料容器１００を開閉する際に指をかける取っ手として有用である。そして、このようなフランジ部７の外縁には、化粧料容器１００を垂直に自立させるための接地部が設けられている。
【００２２】
尚、接地部が設けられる突出部分は、フランジ部７のように板状であることが好ましいが、棒状、柱状、突起状等の形状であってもよい。
【００２３】
図４及び図５に示されるように、接地部６は、化粧料容器１００の本体部１及び蓋体部２の各々に備えられたフランジ部７の外縁に、実質的に直線状の部分として設けられている。閉止された化粧料容器１００は、前述のようにして本体部１及び蓋体部２の各々に設けられた接地部６が、什器や棚等の載置面１０に同時に接地することにより、垂直に自立して載置されることができる。
【００２４】
すなわち、閉止された状態の化粧料容器１００は、化粧料容器１００の外郭を形成する偏平状の略直方体の厚さ方向に隣り合う２辺に対応する実質的に直線状の接地部６を有し、これらが同時に載置面１０に対して線接触することにより、化粧料容器１００が垂直に自立して載置される。化粧料容器１００は、図４に示されるように、上述のような直方体の厚さ方向に隣り合う長辺に対応する接地部６により自立して載置されることもでき、図５に示されるように、上述のような直方体の厚さ方向に隣り合う短辺に対応する接地部６により自立して載置されることもできる。
【００２５】
図４及び図５に示されるように、化粧料容器１００を安定的に自立させるために、本体部１及び蓋体部２の各々に設けられる接地部６は、長さが同一の直線状とされ、本体部１及び蓋体部２の両方に対称な形状及び寸法で設けられている。また、接地部６は、化粧料容器１００を安定的に自立させるために、本体部１及び蓋体部２に設けられた接地部６を通る平面が、化粧料容器１００の厚さ方向と平行となるように設けられている。
【００２６】
また、図１〜図３に示されるように、化粧料容器１００の本体部１及び蓋体部２は、平板状のヒンジ部３を介して結合されている。すなわち、本体部１及び蓋体部２と、ヒンジ部３との結合箇所を、点線状に打ち抜く、または薄肉化する、または凹ませる等により、折り曲げ可能とすることによって、ヒンジ部３を軸にして蓋体部２が本体部１に対して相対的に回動できるようになり、化粧料容器１００の開閉が容易になる。
【００２７】
そして、図６に示されるように、化粧料容器１００においては、ヒンジ部３にも接地部６が設けられている。平板状のヒンジ部３は、接地部６を兼ねることができ、什器や棚等の載置面１０に面接触することにより、化粧料容器１００を垂直に自立させて載置することができる。
【００２８】
このように、化粧料容器１００を垂直に自立させることができるので、別途の手段を用いない簡単で経済的な方法で、化粧料容器１００の主面を水平方向から視認できる効果的な陳列が可能になる。
【００２９】
図１〜図３に示される化粧料容器１００は、化粧料を収容するためのものである。化粧料容器１００に収容される化粧料は、粉末化粧料が好適であり、粉末化粧料が所定の形状に成形された、アイカラーやファンデーション等の固形粉末化粧料が特に好適であるが、これらの化粧料に限定されることはなく、ジェル（ゲル）状、ゼリー状、泥状等の半固形状や軟質状の化粧料であってもよく、本発明に適用可能であれば化粧料が限定されることはない。
【００３０】
化粧料容器１００に収容される化粧料４は、詰め替え用のレフィル用化粧料であることが好ましいが、レフィル用化粧料に限定されることはない。また、化粧料４は、前述した中皿５のような保持体により保持され、保持体と共に本体部１に収容されてもよいが、保持体を用いずに本体部１に直接、収容されてもよい。尚、化粧料容器１００においては、本体部１に化粧料４が収容されるが、本体部１と同時に、本体部以外の構成部材、例えば蓋体部２にも化粧料が収容されるように構成されてもよい。
【００３１】
化粧料容器１００は、透明な樹脂シートのプレス加工により一体成型品として製造されている。化粧料容器１００は、加工が容易で安価な樹脂等の材質から構成されることが好ましく、プレス加工に代表される一体成型等の方法で製造されることが好ましいが、このような材質及び製造方法に限定されることはない。また、化粧料容器１００は、内部の化粧料の色や性状等を外部から視認できるように、当該化粧料容器の全部または一部を透明な材質から構成することが好ましいが、このような構成に限定されることはない。
【００３２】
次に、本発明の第１実施形態以外の実施形態について説明する。尚、以下の説明においては、上記第１実施形態と異なる点を主に説明する。
【００３３】
図７に示される本発明の第２実施形態は、ヒンジ部３を有さない以外は、本発明の第１実施形態と同様の構成を有する化粧料容器２００である。閉止された状態の化粧料容器２００は、第１実施形態と同様に、フランジ部２０７の外縁に設けられた実質的に直線状の接地部２０６を本体部２０１及び蓋体部２０２の各々に有し、これらが載置面１０に同時に接地することにより、垂直に自立して載置されることができる。
【００３４】
つまり、上記第２実施形態の化粧料容器２００は、本体部２０１と蓋体部２０２とが分離可能となるように構成されている。尚、プレス加工等に代表される、構成部材の剥がれや脱落等を防止できる簡易な製造方法は、上記第２実施形態のように、本体部２０１と蓋体部２０２とが分離可能に構成される実施形態にも有用である。
【００３５】
図８に示されるように、本発明の第３実施形態に係る化粧料容器３００は、閉止された状態で、略円盤状の外郭を有し、外周縁上の対向する位置に一対の平坦部分を有すること、及び、円盤状に成形された化粧料（不図示）に対応する形状の化粧料保持部（不図示）及び嵌合部３０９を有すること以外は、本発明の第１実施形態と同様の構成を有している。すなわち、化粧料容器３００において、一方の平坦部分は、本体部３０１及び蓋体部３０２の各々においてフランジ部３０７の外縁に設けられた接地部３０６に対応する。さらに、もう一方の平坦部分は、平板状のヒンジ部３０３に対応し、ヒンジ部３０３にも接地部３０６が設けられる。
【００３６】
つまり、上記第３実施形態の化粧料容器３００の形状は、本体部３０１に収容される化粧料（不図示）、または化粧料保持部（不図示）及び嵌合部３０９の形状に応じて、適宜設定されることができる。そして、上記第３実施形態の化粧料容器３００も、第１及び第２の実施形態と同様に、接地部３０６が載置面１０に接地することにより、垂直に自立させて載置することができる。
【００３７】
図９に示される本発明の第４実施形態は、複数の半円形状の突起部分を含むフランジ部４０７が、本体部４０１及び蓋体部４０２の各々に備えられている以外は、本発明の第１実施形態と同様の構成を有する化粧料容器４００である。化粧料容器４００は、複数の接地点４０６１からなる接地部４０６を本体部４０１及び蓋体部４０２の各々に有し、接地部４０６を構成する各接地点４０６１は、フランジ部４０７の突起部分の頂点に設けられている。
【００３８】
このようにして設けられる接地部４０６が載置面１０に接地することにより、上記第４実施形態の化粧料容器４００を、垂直に自立させて載置することができる。
【００３９】
また、図１０に示される本発明の第５実施形態は、本体部５０１及び蓋体部５０２の各々において、フランジ部５０７の外縁に略三角形状の突起部分が複数備えられている以外は、本発明の第１実施形態と同様の構成を有する化粧料容器５００である。化粧料容器５００は、複数の接地点５０６１からなる接地部５０６を、本体部５０１及び蓋体部５０２の各々に有し、接地部５０６を構成する各接地点５０６１は、フランジ部５０７の突起部分の頂点に設けられている。
【００４０】
このようにして設けられる接地部５０６が載置面１０に接地することにより、上記第５実施形態の化粧料容器５００を、垂直に自立させて載置することができる。
【００４１】
上述した第４及び第５の実施形態において、本体部（４０１、５０１）及び蓋体部（４０２、５０２）の各々に設けられる接地部（４０６、５０６）は、数及び間隔が同一の複数の接地点（４０６１、５０６１）からなり、本体部（４０１、５０１）及び蓋体部（４０２、５０２）の両方に対称な形状及び寸法で設けられている。また、接地部（４０６、５０６）は、化粧料容器（４００，５００）を安定的に自立させるために、本体部（４０１、５０１）及び蓋体部（４０２、５０２）において接地部（４０６、５０６）を構成する各接地点（４０６１、５０６１）を通る平面が、化粧料容器（４００，５００）の厚さ方向と平行となるように設けられている。
【００４２】
上述した第４及び第５の実施形態のように、本発明の化粧料容器は、載置面１０に対して実質的に点接触する接地部（４０６、５０６）により垂直に自立して載置されるように構成されてもよい。また、本発明の化粧料容器において、第１〜第３の実施形態のように、接地部（６、２０６、３０６）は、本体部（１、２０１、３０１）及び蓋体部（２、２０２、３０２）の各々において連続した形状で設けられてもよいが、第４及び第５の実施形態のように、接地部（４０６、５０６）は、本体部（４０１、５０１）及び蓋体部（４０２、５０２）の各々において断続した形状で設けられてもよい。
【産業上の利用可能性】
【００４３】
本発明は、化粧料が収容される化粧料容器に利用可能であり、詰め替え用の化粧料が収容されるレフィル用の化粧料容器として好適である。
【符号の説明】
【００４４】
１００、２００、３００、４００、５００  化粧料容器
１、２０１、３０１、４０１、５０１  本体部
２、２０２、３０２、４０２、５０２  蓋体部
３、３０３、４０３、５０３  ヒンジ部
４  化粧料
５  中皿
６、２０６、３０６、４０６、５０６  接地部
４０６１、５０６１  接地点
７、２０７、３０７、４０７、５０７  フランジ部
８  化粧料保持部
９、２０９、３０９、４０９、５０９  嵌合部
１０  載置面
【図１】
2015062460.tif 000003
【図２】
2015062460.tif 000004
【図３】
2015062460.tif 000005
【図４】
2015062460.tif 000006
【図５】
2015062460.tif 000007
【図６】
2015062460.tif 000008
【図７】
2015062460.tif 000009
【図８】
2015062460.tif 000010
【図９】
2015062460.tif 000011
【図１０】
2015062460.tif 000012